(57)【特許請求の範囲】
【請求項１】
沈砂池の池底に堆積した沈砂を沈砂ピットに向けて移送する集砂装置において、前記沈砂池の池底に、沈砂ピット方向に向かう直線状の仕切部を突設して該仕切部の両側に集砂溝をそれぞれ形成し、前記仕切部の上端に設けた仕切部長手方向のヒンジ部を介して前記集砂溝の全長にわたる長さの蓋部材を回動可能に設け、該蓋部材を、仕切部の一側方に水平方向に向けて回動し、該仕切部の一側方に位置する前記集砂溝を覆う第１集砂位置と、仕切部の他側方に水平方向に向けて回動し、該仕切部の他側方に位置する前記集砂溝を覆う第２集砂位置とに回動させる蓋部材回動手段を設けるとともに、前記蓋部材に覆われた集砂溝内に集砂水を噴出する集砂水噴出ノズルを設けたことを特徴とする集砂装置。
【請求項２】
前記蓋部材は、前記仕切部の上方に鉛直方向に向けて立ち上がった沈砂位置を有していることを特徴とする請求項１記載の集砂装置。
【請求項３】
前記蓋部材は、前記第１集砂位置又は前記第２集砂位置において、仕切部の一側方又は他側方に併設された複数の集砂溝を覆う幅寸法を有していることを特徴とする請求項１又は２記載の集砂装置。
【請求項４】
前記集砂水噴出ノズルは、前記集砂溝の底部に設けられていることを特徴とする請求項１乃至３のいずれか１項記載の集砂装置。
【請求項５】
前記集砂水噴出ノズルは、前記蓋部材の両面に設けられていることを特徴とする請求項１乃至３のいずれか１項記載の集砂装置。 
【発明の詳細な説明】
【技術分野】
【０００１】
本発明は、集砂装置に関し、詳しくは、沈砂池、沈殿池の池底に堆積した沈砂を沈砂ピットに向けて移送する集砂装置に関する。
【背景技術】
【０００２】
浄水場や下水処理場の流入部に設けられた沈砂池（沈殿池）の池底には、池底に堆積した沈砂を沈砂ピットに向けて移送するための集砂装置が設けられている。この集砂装置として、沈砂ピット方向に沈砂を移送するための複数の噴気流発生ノズルを配置するとともに、池底を覆う大きさの仕切板を昇降可能に設け、噴気流発生ノズルを作動させて沈砂を沈砂ピットに向けて移送する集砂操作を行うときには、仕切板を下降させて池底近傍に設置し、噴気流発生ノズルを作動させないときには、仕切板を沈砂池の水面より上方に上昇させることにより、噴気流発生ノズルを作動させたときに沈砂が舞い上がるのを防止するようにしたものが提案されている（例えば、特許文献１参照。）。
【先行技術文献】
【特許文献】
【０００３】
【特許文献１】特許第３６８９１６２号公報
【発明の概要】
【発明が解決しようとする課題】
【０００４】
しかし、特許文献１に記載された集砂装置は、池底を覆う大きさの仕切板を沈砂池の水中を昇降させなければならないため、水の抵抗が仕切板に大きく作用するため、設備が大掛かりになるなどの問題があった。
【０００５】
そこで本発明は、集砂操作を行う際の沈砂の舞い上がりを、簡単な構成の設備で防止することができる集砂装置を提供することを目的としている。
【課題を解決するための手段】
【０００６】
上記目的を達成するため、本発明の集砂装置は、沈砂池の池底に堆積した沈砂を沈砂ピットに向けて移送する集砂装置において、前記沈砂池の池底に、沈砂ピット方向に向かう直線状の仕切部を突設して該仕切部の両側に集砂溝をそれぞれ形成し、前記仕切部の上端に設けた仕切部長手方向のヒンジ部を介して前記集砂溝の全長にわたる長さの蓋部材を回動可能に設け、該蓋部材を、仕切部の一側方に水平方向に向けて回動し、該仕切部の一側方に位置する前記集砂溝を覆う第１集砂位置と、仕切部の他側方に水平方向に向けて回動し、該仕切部の他側方に位置する前記集砂溝を覆う第２集砂位置とに回動させる蓋部材回動手段を設けるとともに、前記蓋部材に覆われた集砂溝内に集砂水を噴出する集砂水噴出ノズルを設けたことを特徴としている。
【０００７】
さらに、本発明の集砂装置は、前記蓋部材が前記仕切部の上方に鉛直方向に向けて立ち上がった沈砂位置を有していること、前記蓋部材が、前記第１集砂位置又は前記第２集砂位置において、仕切部の一側方又は他側方に併設された複数の集砂溝を覆う幅寸法を有していることを特徴としている。また、前記集砂水噴出ノズルが、前記集砂溝の底部、あるいは、前記蓋部材の両面に設けられていることを特徴としている。
【発明の効果】
【０００８】
本発明の集砂装置によれば、沈砂を沈砂ピットに向けて移送する集砂操作を行う際に、蓋部材を鉛直方向から水平方向に回動させ、集砂溝を蓋部材で覆った状態にしてから集砂水を噴出することにより、沈砂を舞上げずに沈砂ピットに移送することができる。したがって、池底の面積に比べて蓋部材の合計面積を約半分にできるとともに、蓋部材の回動も容易に行えるので、簡単な構成の設備で集砂操作を行う際の沈砂の舞い上がりを防止できる。
【図面の簡単な説明】
【０００９】
【図１】本発明の集砂装置の第１形態例を示す断面側面図である。
【図２】同じく断面正面図である。
【図３】本発明の集砂装置の第２形態例を示す断面正面図である。
【図４】本発明の集砂装置の第３形態例を示す断面側面図である。
【発明を実施するための形態】
【００１０】
図１及び図２は、本発明の集砂装置の第１形態例を示している。集砂装置１１は、沈砂池１２の池底に堆積した沈砂を、沈砂池１２の一側に設けられた沈砂ピット１３に向けて移送するもので、沈砂ピット１３に集められた沈砂は、揚砂管１４によって沈砂池１２の外部に取り出される。
【００１１】
本形態例に示す集砂装置１１は、図２に示すように、前記沈砂池１２の池底に、沈砂ピット１３方向に向かう直線状の仕切部１５を突設し、該仕切部１５の両側の沈砂池側壁との間に、上部が開口した集砂溝１６ａ，１６ｂをそれぞれ形成するとともに、該集砂溝１６ａ，１６ｂの底面に、沈砂ピット１３の方向に向けて集砂水を噴出する複数の集砂水噴出ノズル１７ａ，１７ｂをそれぞれ設けている。
【００１２】
前記仕切部１５の上端には、前記集砂溝１６ａ，１６ｂの全長にわたる長さ寸法を有するとともに、集砂溝１６ａ，１６ｂの上部開口を覆うことが可能な幅寸法を有する長尺板状材からなる蓋部材１８が設けられている。この蓋部材１８は、前記仕切部１５の上端に設けた仕切部長手方向のヒンジ部１９を介して、図２に実線で示すように、仕切部１５の上方に鉛直方向に立ち上がった沈砂位置Ａと、該沈砂位置Ａから図２において時計回りに９０度回動して仕切部１５の一側方（右側）に位置する集砂溝１６ａの上部開口を覆う状態になる第１集砂位置Ｂと、前記沈砂位置Ａから図２において反時計回りに９０度回動して仕切部１５の他側方（左側）に位置する集砂溝１６ｂの上部開口を覆う状態になる第２集砂位置Ｃとに回動可能に設けられている。
【００１３】
前記ヒンジ部１９の一端にはギアボックス２０が接続され、該ギアボックス２０には沈砂池１２の上部に設けられた蓋部材回動手段２１が接続されており、蓋部材回動手段２１を作動させることにより、蓋部材１８を、前記沈砂位置Ａ，第１集砂位置Ｂ及び第２集砂位置Ｃに任意に回動できるように形成されている。
【００１４】
この集砂装置１１における集砂操作は、仕切部１５の右側に位置する集砂溝１６ａの集砂操作と、仕切部１５の左側に位置する集砂溝１６ｂの集砂操作とを別個に行う。例えば、蓋部材１８を前記第１集砂位置Ｂに回動させて一側方の集砂溝１６ａを覆った状態としてから、該集砂溝１６ａに設けられた集砂水噴出ノズル１７ａから集砂水を噴出させることにより、集砂溝１６ａ内に堆積した沈砂を沈砂ピット１３に移送する。
【００１５】
集砂溝１６ａ内の沈砂を沈砂ピット１３に移送した後、蓋部材１８を前記第２集砂位置Ｃに回動させて他側方の集砂溝１６ｂを覆った状態としてから、該集砂溝１６ｂに設けられた集砂水噴出ノズル１７ｂから集砂水を噴出させ、集砂溝１６ｂ内に堆積した沈砂を沈砂ピット１３に移送する。
【００１６】
両集砂溝１６ａ，１６ｂの集砂操作を終えた後、蓋部材１８を前記沈砂位置Ａに戻して待機状態とする。また、蓋部材１８を沈砂位置Ａで止めることなく、第１集砂位置Ｂと第２集砂位置Ｃとに交互に回動させて各集砂溝１６ａ，１６ｂの集砂操作を交互に連続的に行うことも可能である。
【００１７】
このように、蓋部材１８を回動させて一側方の集砂溝１６ａの集砂と他側方の集砂溝１６ｂの集砂とを順次行うことにより、蓋部材１８の幅寸法を、集砂溝１６ａ，１６ｂの開口幅に対応した寸法にすることができるので、池底全体を覆う仕切板に比べて蓋部材１８を小さくすることができる。さらに、蓋部材１８の回動操作も、仕切板の昇降に比べて容易であり、回動や昇降に係わる設備費の低減を図ることができる。また、池底全体に蓋部材に対応するような部材を設置する場合に比べて、蓋部材の面積は、池底の面積の約半分でよいことから、材料費や工事費の低減も図ることができる。
【００１８】
図３は、本発明の集砂装置の第２形態例を示している。なお、以下の説明において、前記第１形態例に示した集砂装置の構成要素と同一の構成要素には同一の符号を付して詳細な説明は省略する。
【００１９】
本形態例に示す集砂装置３１は、蓋部材３２の幅寸法を集砂溝３３の２本分としている。すなわち、沈砂池１２の池底に前記仕切部１５を３列設け、仕切部１５同士の間及び仕切部１５と沈砂池側壁との間に４本の集砂溝３３を形成し、蓋部材３２を第１集砂位置Ｂに回動させたとき及び蓋部材３２を第２集砂位置Ｃに回動させたときに２本の集砂溝３３の上部開口を同時に覆うことができるようにしている。
【００２０】
このように、２本以上の複数の集砂溝３３の上部開口を覆うことができる幅寸法の蓋部材３２を使用することにより、蓋部材３２やギアボックス、蓋部材回動手段の設置数を少なくして設備費の低減を図ることができる。
【００２１】
さらに、本形態例では、蓋部材３２の両面に集砂水噴出ノズル３４をそれぞれ設け、集砂溝３３を覆った状態で蓋部材３２の下面に位置する集砂水噴出ノズル３４から集砂水を噴出するようにしている。このように、蓋部材３２に集砂水噴出ノズル３４を設けることにより、集砂水噴出ノズル３４への配管や保守を容易に行うことができる。
【００２２】
図４は、本発明の集砂装置の第３形態例を示している。本形態例に示す集砂装置４１は、蓋部材４２の長さを、沈砂ピット１３の上方を覆うことができる長さに形成し、揚砂管１４と干渉する部分を除いて沈砂ピット１３の上方を覆うことにより、沈砂ピット１３からの沈砂の舞い上がりも防止するようにしている。
【００２３】
また、本形態例では、沈砂ピット１３から揚砂管１４に吸い上げた沈砂混合水を沈砂分離機４３に導入し、該沈砂分離機４３で分離した水を集砂水として使用するようにしている。これにより、揚砂水を集砂水として循環利用することができる。
【００２４】
なお、蓋部材は、長さ方向に２分割して各蓋部材の端部に回動手段をそれぞれ設けるようにすることもでき、集砂溝の両側の仕切部に幅寸法が集砂溝の半分の蓋部材をそれぞれ設けるようにしてもよい。また、蓋部材回動手段は、減速機付モータなどを適宜使用することができる。
【符号の説明】
【００２５】
１１…集砂装置、１２…沈砂池、１３…沈砂ピット、１４…揚砂管、１５…仕切部、１６ａ，１６ｂ…集砂溝、１７ａ，１７ｂ…集砂水噴出ノズル、１８…蓋部材、１９…ヒンジ部、２０…ギアボックス、２１…蓋部材回動手段、３１…集砂装置、３２…蓋部材、３３…集砂溝、３４…集砂水噴出ノズル、４１…集砂装置、４２…蓋部材、４３…沈砂分離機、Ａ…沈砂位置、Ｂ…第１集砂位置、Ｃ…第２集砂位置、 
【図１】
0006294777.tif 000002
【図２】
0006294777.tif 000003
【図３】
0006294777.tif 000004
【図４】
0006294777.tif 000005